(57)【要約】  【課題】  利便性を向上できるテレビ受信装置を提供する。  【解決手段】  ＥＰＧ画面を表示して番組を選択可能なテレビ受信装置１において、設定メニューの操作によりテレビ受信装置の電源投入時の表示を、テレビ放送画面の表示と、ＥＰＧ画面の表示と、テレビ放送画面及びＥＰＧ画面の２画面の表示とに設定可能にするとともに、ＥＰＧ画面の表示に設定した際に、ＥＰＧ画面を所定時間表示した後に、チャンネルを選択するまで待機して選択されたチャンネルのテレビ放送画面を表示する待機モードと、前回表示したチャンネルのテレビ放送画面を表示する非待機モードと、各チャンネルのテレビ放送画面を順に切り替えて表示する切替表示モードとを設定可能した。【選択図】      図３
0003111406.tif 000002
【実用新案登録請求の範囲】
【請求項１】
ＥＰＧ画面を表示して番組を選択可能なテレビ受信装置において、最初に電源投入した
際に表示される初期設定メニューの操作によりテレビ受信装置の電源投入時の表示を、テ
レビ放送画面の表示と、ＥＰＧ画面の表示と、テレビ放送画面及びＥＰＧ画面の２画面の
表示とに設定可能にするとともに、
ＥＰＧ画面の表示に設定した際に、ＥＰＧ画面を表示して番組を選択するまで待機して
選択された番組のテレビ放送画面を表示する待機モードと、ＥＰＧ画面を所定時間表示し
た後に前回表示したチャンネルのテレビ放送画面を表示する非待機モードと、ＥＰＧ画面
を所定時間表示した後に各チャンネルのテレビ放送画面を順に切り替えて表示する切替表
示モードとを設定可能したことを特徴とするテレビ受信装置。
【請求項２】
ＥＰＧ画面を表示して番組を選択可能なテレビ受信装置において、使用者の操作によっ
て、テレビ受信装置の電源投入時の表示を、テレビ放送画面の表示と、ＥＰＧ画面の表示
とに設定可能にしたことを特徴とするテレビ受信装置。
【請求項３】
テレビ受信装置の電源投入時の表示を、テレビ放送画面及びＥＰＧ画面の２画面の表示
に設定できることを特徴とする請求項２に記載のテレビ受信装置。
【請求項４】
電源投入時の表示をＥＰＧ画面の表示に設定した際に、ＥＰＧ画面を表示して番組を選
択するまで待機して選択された番組のテレビ放送画面を表示する待機モードと、ＥＰＧ画
面を所定時間表示した後に前回表示したチャンネルのテレビ放送画面を表示する非待機モ
ードと、ＥＰＧ画面を所定時間表示した後に各チャンネルのテレビ放送画面を順に切り替
えて表示する切替表示モードとを設定可能したことを特徴とする請求項２または請求項３
に記載のテレビ受信装置。
【請求項５】
電源投入時の表示をＥＰＧ画面の表示に設定した際に、ＥＰＧ画面を所定時間表示した
後に前回表示したチャンネルのテレビ放送画面を表示したことを特徴とする請求項２また
は請求項３に記載のテレビ受信装置。
【請求項６】
電源投入時の表示をＥＰＧ画面の表示に設定した際に、ＥＰＧ画面を所定時間表示した
後に各チャンネルのテレビ放送画面を順に表示したことを特徴とする請求項２または請求
項３に記載のテレビ受信装置。
【考案の詳細な説明】
【技術分野】
【０００１】
本考案は、ＥＰＧ画面を表示できるテレビ受信装置に関する。
【背景技術】
【０００２】
放送電波によって送信されるＥＰＧ（Electronic Program Guide）はディスプレイに番
組表や番組の詳細情報等を表示することができる。使用者はＥＰＧの表示画面（以下、「
ＥＰＧ画面」という）から番組を選択して所望の番組を視聴することができるようになっ
ている。
【０００３】
ＥＰＧを受信できる従来のテレビ受信装置は、電源をオンするとテレビ放送の表示画面
（以下、「テレビ放送画面」という）が表示される。その後、使用者の操作によってＥＰ
Ｇ画面を表示して番組を選択することができる。このテレビ受信装置によると、所望の番
組を選択するまでに多くの操作を必要として番組の視聴を迅速に行うことができない問題
があった。
【０００４】
特許文献１には電源オフした際にテレビ放送画面を表示していたかＥＰＧ画面を表示し
ていたかを記憶するテレビ受信装置が開示されている。このテレビ受信装置によると、再
度電源をオンした際に、電源オフした際の画面に応じてテレビ放送画面またはＥＰＧ画面
が表示される。これにより、電源オフ時にＥＰＧ画面を表示しておくことで、電源オン時
に迅速に所望の番組を選択して視聴することができる。
【特許文献１】特開平１１−６９２５４号公報（第３頁−第６頁、第９図）
【考案の開示】
【考案が解決しようとする課題】
【０００５】
しかしながら、上記特許文献１に開示されたテレビ受信装置によると、電源オフ時にＥ
ＰＧ画面を表示する操作を必要とし、尚、利便性が悪い問題があった。また、ＥＰＧ画面
を表示させずに視聴したい使用者にとっては、電源オフ時にＥＰＧ画面を表示していると
テレビ放送画面に切り替える操作を必要として利便性が悪い問題もあった。
【０００６】
本考案は、利便性を向上できるテレビ受信装置を提供することを目的とする。
【課題を解決するための手段】
【０００７】
上記目的を達成するために本考案は、ＥＰＧ画面を表示して番組を選択可能なテレビ受
信装置において、最初に電源投入した際に表示される初期設定メニューの操作によりテレ
ビ受信装置の電源投入時の表示を、テレビ放送画面の表示と、ＥＰＧ画面の表示と、テレ
ビ放送画面及びＥＰＧ画面の２画面の表示とに設定可能にするとともに、
ＥＰＧ画面の表示に設定した際に、ＥＰＧ画面を表示して番組を選択するまで待機して
選択された番組のテレビ放送画面を表示する待機モードと、ＥＰＧ画面を所定時間表示し
た後に前回表示したチャンネルのテレビ放送画面を表示する非待機モードと、ＥＰＧ画面
を所定時間表示した後に各チャンネルのテレビ放送画面を順に切り替えて表示する切替表
示モードとを設定可能したことを特徴としている。
【０００８】
この構成によると、テレビ受信装置の電源を最初に投入すると初期設定メニューが表示
される。初期設定メニューには、例えば、テレビ放送画面の表示、ＥＰＧ画面の表示、２
画面の表示、の項目が表示され、使用者はカーソル移動等により項目を選択することがで
きる。テレビ放送画面の表示が選択されると、次回からの電源投入時にテレビ放送の受信
画面が表示される。ＥＰＧ画面の表示が選択されると、次回からの電源投入時にＥＰＧの
画面が表示される。２画面の表示が選択されると、次回からの電源投入時にテレビ放送の
受信画面とＥＰＧ画面とが同時に表示される。
【０００９】
また、ＥＰＧ画面の表示を選択した場合には、例えばサブメニュー画面の表示によって
、待機モード、非待機モード、切替表示モードを選択することができる。待機モードが選
択されると、次回電源投入時にＥＰＧ画面が表示され、使用者により番組が選択されるま
で待機する。使用者により番組が選択されると該番組のテレビ放送画面が表示される。非
待機モードが選択されると、次回電源投入時にＥＰＧ画面が表示され、所定時間の経過後
に例えば、前回視聴したチャンネルのテレビ放送画面が表示される。切替表示モードが選
択されると、次回電源投入時にＥＰＧ画面が表示され、所定時間経過後に順にチャンネル
が切り替って連続してテレビ放送画面が表示される。その後、使用者によりチャンネルや
番組タイトル等が選択されると選択した番組のテレビ放送画面が表示される。
【００１０】
また本考案は、ＥＰＧ画面を表示して番組を選択可能なテレビ受信装置において、使用
者の操作によって、テレビ受信装置の電源投入時の表示を、テレビ放送画面の表示と、Ｅ
ＰＧ画面の表示とに設定可能にしたことを特徴としている。
【００１１】
この構成によると、テレビ受信装置の電源を最初に投入した際や、所定の操作によって
設定メニューが表示される。設定メニューには、例えば、テレビ放送画面の表示、ＥＰＧ
画面の表示、の項目が表示され、使用者はカーソル移動等により項目を選択することがで
きる。テレビ放送画面の表示が選択されると、次回からの電源投入時にテレビ放送の受信
画面が表示される。ＥＰＧ画面の表示が選択されると、次回からの電源投入時にＥＰＧの
画面が表示される。
【００１２】
また本考案は、上記構成のテレビ受信装置において、テレビ受信装置の電源投入時の表
示を、テレビ放送画面及びＥＰＧ画面の２画面の表示に設定できることを特徴としている
。この構成によると、設定メニューには、テレビ放送画面の表示、ＥＰＧ画面の表示に加
えて、例えば、２画面の表示の項目が表示される。２画面の表示が選択されると、次回か
らの電源投入時にテレビ放送の受信画面とＥＰＧ画面とが同時に表示される。
【００１３】
また本考案は、上記構成のテレビ受信装置において、電源投入時の表示をＥＰＧ画面の
表示に設定した際に、ＥＰＧ画面を表示して番組を選択するまで待機して選択された番組
のテレビ放送画面を表示する待機モードと、ＥＰＧ画面を所定時間表示した後に前回表示
したチャンネルのテレビ放送画面を表示する非待機モードと、ＥＰＧ画面を所定時間表示
した後に各チャンネルのテレビ放送画面を順に切り替えて表示する切替表示モードとを設
定可能したことを特徴としている。
【００１４】
この構成によると、ＥＰＧ画面の表示を選択した場合には、例えばサブメニュー画面の
表示によって、待機モード、非待機モード、切替表示モードを選択することができる。待
機モードが選択されると、次回電源投入時にＥＰＧ画面が表示され、使用者により番組が
選択されるまで待機する。使用者により番組が選択されると該番組のテレビ放送画面が表
示される。非待機モードが選択されると、次回電源投入時にＥＰＧ画面が表示され、所定
時間の経過後に例えば、前回視聴したチャンネルのテレビ放送画面が表示される。切替表
示モードが選択されると、次回電源投入時にＥＰＧ画面が表示され、所定時間経過後に順
にチャンネルが切り替って連続してテレビ放送画面が表示される。
【００１５】
また本考案は、上記構成のテレビ受信装置において、電源投入時の表示をＥＰＧ画面の
表示に設定した際に、ＥＰＧ画面を所定時間表示した後に前回表示したチャンネルのテレ
ビ放送画面を表示したことを特徴としている。
【００１６】
また本考案は、上記構成のテレビ受信装置において、電源投入時の表示をＥＰＧ画面の
表示に設定した際に、ＥＰＧ画面を所定時間表示した後に、各チャンネルのテレビ放送画
面を順に表示したことを特徴としている。
【考案の効果】
【００１７】
本考案によると、使用者の操作によってテレビ受信装置の電源投入時の表示を、テレビ
放送画面の表示と、ＥＰＧ画面の表示とに設定可能にしたので、特別な操作を必要とする
ことなく電源投入時にＥＰＧ画面を表示することができ、番組を迅速に選択することがで
きる。また、テレビ放送画面を表示したい使用者にとっては電源オフ時や電源オン時に特
別な操作を必要としないため、テレビ受信装置の利便性を向上することができる。
【００１８】
また本考案によると、テレビ受信装置の電源投入時の表示を、テレビ放送画面及びＥＰ
Ｇ画面の２画面の表示に設定できるので、使用者を問わずテレビ受信装置の利便性をより
向上することができる。
【００１９】
また本考案によると、ＥＰＧ画面の表示に設定した際に、待機モードと、非待機モード
と、切替表示モードとを設定可能にしたので、使用者の所望の動作をさせることができ、
テレビ受信装置の利便性をより向上することができる。
【００２０】
また本考案によると、ＥＰＧ画面の表示に設定した際に、ＥＰＧ画面を所定時間表示し
た後に前回表示したチャンネルのテレビ放送画面を表示したので、画面の切り替え操作を
必要とせず、テレビ受信装置の利便性をより向上することができる。
【００２１】
また本考案によると、ＥＰＧ画面の表示に設定した際に、ＥＰＧ画面を所定時間表示し
た後に、各チャンネルのテレビ放送画面を順に表示したので、各番組を見て確認すること
ができるためテレビ受信装置の利便性をより向上することができる。
【考案を実施するための最良の形態】
【００２２】
以下に本考案の実施形態を図面を参照して説明する。図１は一実施形態のテレビ受信装
置の構成を示すブロック図である。テレビ受信装置１は各部を制御するＣＰＵから成る制
御部２を有している。制御部２にはディスプレイ３、スピーカ４、操作部５、分離器６、
デコーダ７、メモリ８が接続されている。分離器６にはアンテナ１０を有したチューナ９
が接続されている。
【００２３】
チューナ９はアンテナ１０を介して受信したテレビ放送電波をチャンネル別に分波する
。分離器６は受信した電波を映像信号、音声信号及び番組情報の信号に分離する。デコー
ダ７は分離器６から出力される映像信号及び音声信号を復号する。ディスプレイ３は復号
された映像信号によって映像を表示する。スピーカ４は復号された音声信号によって音声
を出力する。
【００２４】
操作部５はテレビ受信装置１の前面に設けられた操作パネル及びリモートコントローラ
から成り、使用者によるテレビ視聴時の操作や設定操作を行う。メモリ８はテレビ受信装
置１の動作プログラムを格納するとともに制御部２による演算の一時記憶を行う。
【００２５】
図２はテレビ受信装置１の電源投入時の動作を示すフローチャートである。電源を投入
すると、ステップ＃４１でテレビ受信装置１の表示設定が済んでいるか否かが判断される
。テレビ受信装置１の電源を最初に投入した際には表示設定を行う必要があり、ステップ
＃４２に移行する。
【００２６】
ステップ＃４２では図３に示す設定操作処理が呼び出される。設定操作処理のステップ
＃１１では図５に示す設定メニューがディスプレイ３に表示される。設定メニューには「
１．テレビ放送画面表示」、「２．ＥＰＧ画面表示」、「３．２画面表示」の項目が表示
される。操作部５（図１参照）の操作によりカーソル移動して各項目を選択することがで
きる。同図は「１．テレビ放送画面表示」にカーソルを移動した状態を示している。
【００２７】
「１．テレビ放送画面表示」を選択すると、テレビ受信装置１の電源投入時に前回視聴
していたチャンネルのテレビ放送画面が表示される。「２．ＥＰＧ画面表示」を選択する
と、テレビ受信装置１の電源投入時にＥＰＧ画面が表示される。「３．２画面表示」を選
択すると、テレビ受信装置１の電源投入時にテレビ放送画面とＥＰＧ画面とが２画面で表
示される。
【００２８】
ステップ＃１２では設定メニューに表示された項目を選択するまで待機する。項目が選
択されるとステップ＃１３に移行し、「２．ＥＰＧ画面表示」が選択されたか否かが判断
される。「２．ＥＰＧ画面表示」が選択されなかった場合はステップ＃２１に移行して「
１．テレビ放送画面表示」が選択されたか否かが判断される。
【００２９】
「１．テレビ放送画面表示」が選択された場合はステップ＃２２に移行する。ステップ
＃２２では、テレビ放送画面を表示することをメモリ８に記憶して図２のフローチャート
に戻る。「１．テレビ放送画面表示」が選択されなかった場合はステップ＃２３に移行す
る。ステップ＃２３では、テレビ放送画面とＥＰＧ画面の２画面を表示することをメモリ
８に記憶して図２のフローチャートに戻る。
【００３０】
ステップ＃１３の判断で「２．ＥＰＧ画面表示」が選択された場合はステップ＃３１に
移行する。ステップ＃３１では図６に示すサブメニューが表示される。サブメニューには
「ａ．待機モード」、「ｂ．非待機モード」、「ｃ．切替表示モード」の項目が表示され
る。操作部５（図１参照）の操作によりカーソル移動して各項目を選択することができる
。同図は「ａ．待機モード」にカーソルを移動した状態を示している。
【００３１】
「ａ．待機モード」を選択すると、テレビ受信装置１の電源投入時にＥＰＧ画面を表示
した後、番組が選択されるまで待機する。「ｂ．非待機モード」を選択すると、テレビ受
信装置１の電源投入時に所定時間ＥＰＧ画面を表示した後、前回視聴したチャンネルのテ
レビ放送画面を表示する。「ｃ．切替表示モード」を選択すると、テレビ受信装置１の電
源投入時に所定時間ＥＰＧ画面を表示した後、各チャンネルの番組を切り替えて表示する
。
【００３２】
ステップ＃３２ではサブメニューに表示された項目を選択するまで待機する。項目が選
択されるとステップ＃３３に移行し、「ａ．待機モード」が選択されたか否かが判断され
る。「ａ．待機モード」が選択された場合はステップ＃３４に移行する。ステップ＃３４
では、待機モードでＥＰＧ画面を表示することをメモリ８に記憶して図２のフローチャー
トに戻る。
【００３３】
「ａ．待機モード」が選択されなかった場合はステップ＃３５に移行して「ｂ．非待機
モード」が選択されたか否かが判断される。「ｂ．非待機モード」が選択された場合はス
テップ＃３６に移行する。ステップ＃３６では、非待機モードでＥＰＧ画面を表示するこ
とをメモリ８に記憶して図２のフローチャートに戻る。「ｂ．非待機モード」が選択され
なかった場合は、ステップ＃３７に移行する。ステップ＃３７では、切替表示モードでＥ
ＰＧ画面を表示することをメモリ８に記憶して図２のフローチャートに戻る。
【００３４】
尚、リモートコントローラ等の操作部５の操作によって、図３に示す設定操作処理を呼
び出すことができる。これにより、使用者はいつでも電源投入時の表示設定を変更するこ
とができる。
【００３５】
図２において、電源投入時の表示設定が最初の電源投入時に行われていれば、次回以降
の電源投入時にはステップ＃４１の判断によりステップ＃４３に移行する。ステップ＃４
３ではメモリ８に記憶された表示設定がＥＰＧ画面の表示か否かが判断される。ＥＰＧ画
面の表示でない場合はステップ＃４４に移行して、メモリ８に記憶された表示設定がテレ
ビ放送画面の表示か否かが判断される。
【００３６】
テレビ放送画面の表示の場合は、ステップ＃４５に移行する。ステップ＃４５では前回
の電源オフ時に表示してメモリ８に記憶されたチャンネルが呼び出される。ステップ＃４
６では該チャンネルのテレビ放送画面が表示される。これにより、電源投入時にテレビ放
送画面が表示され、使用者はチャンネルを切り替えることにより所望の番組を視聴するこ
とができる。
【００３７】
ステップ＃４４の判断でテレビ放送画面の表示でない場合は、ステップ＃５３に移行し
て、テレビ放送画面と図７に示すＥＰＧ画面とが２画面で表示される。テレビ放送画面は
、前回の電源オフ時に表示してメモリ８に記憶されたチャンネルを呼び出して表示される
。
【００３８】
ＥＰＧ画面は今日の日付、現在時刻、現在放送中の各チャンネルに対応する番組名（タ
イトル）等が表示される。操作部５の操作によってカーソル移動して番組を選択すること
ができる。同図は２チャンネルの番組にカーソルを移動した状態を示している。また、時
刻や日付を送る操作によって例えば８日間の番組の一覧を見ることができる。
【００３９】
ステップ＃５４では操作部５の操作によってＥＰＧ画面に表示される番組が選択される
まで待機する。番組が選択されるとステップ＃４６に移行して該番組のテレビ放送画面が
表示される。
【００４０】
ステップ＃４３の判断でＥＰＧ画面の表示の場合は、ステップ＃５１に移行して、前述
の図７に示すＥＰＧ画面が表示される。ステップ＃５２では表示設定が待機モードか否か
が判断される。待機モードの場合はステップ＃５４に移行し、操作部５の操作によってＥ
ＰＧ画面に表示される番組が選択されるまで待機する。番組が選択されるとステップ＃４
６に移行して該番組のテレビ放送画面が表示される。
【００４１】
表示設定が待機モードでない場合はステップ＃６１に移行し、非待機モードか否かが判
断される。非待機モードの場合はステップ＃６２に移行して、ＥＰＧ画面を表示してから
所定時間経過するまで待機する。ＥＰＧ画面を所定時間表示するとステップ＃６３に移行
する。ステップ＃６３では前回の電源オフ時に表示してメモリ８に記憶されたチャンネル
が呼び出される。そして、ステップ＃４６で該チャンネルのテレビ放送画面が表示される
。使用者はチャンネルを切り替えることにより所望の番組を視聴することができる。
【００４２】
ステップ＃６１の判断で非待機モードでない場合は、ステップ＃６４に移行して図４に
示す切替表示モードの処理が呼び出される。ステップ＃７１ではＥＰＧ画面を表示してか
ら所定時間経過するまで待機する。ＥＰＧ画面を所定時間表示するとステップ＃７２に移
行する。ステップ＃７２では、例えば、２チャンネルのテレビ放送画面が表示される。前
回の電源オフ時に表示してメモリ８に記憶されたチャンネルを呼び出して表示してもよい
。
【００４３】
ステップ＃７３では所定時間経過するまで待機する。所定時間が経過するとステップ＃
７４に移行してチャンネルが切り替えられる。ステップ＃７５では全チャンネルが表示さ
れたか否かが判断され、全チャンネルを表示するまでステップ＃７３〜＃７５を繰り返し
てチャンネルを切り替えて表示する。そして、全チャンネルが表示されると、ステップ＃
４６（図２参照）に移行して最後のチャンネルのテレビ放送画面が継続して表示される。
使用者はチャンネルを切り替えることにより所望の番組を視聴することができる。
【００４４】
本実施形態によると、使用者の操作によってテレビ受信装置１の電源投入時の表示を、
テレビ放送画面の表示と、ＥＰＧ画面の表示とに設定可能にしたので、特別な操作を必要
とすることなく電源投入時にＥＰＧ画面を表示することができ、番組を迅速に選択するこ
とができる。また、テレビ放送画面を表示したい使用者にとっては電源オフ時や電源オン
時に特別な操作を必要としないため、利便性を向上することができる。
【００４５】
また、テレビ放送画面及びＥＰＧ画面の２画面の表示に設定できるので、電源オン時に
テレビ放送画面を見たい使用者はチャンネルを切り替えて視聴することができるとともに
、ＥＰＧ画面を見たい使用者は番組を選択して視聴することができる。従って、使用者を
問わずテレビ受信装置の利便性をより向上することができる。
【００４６】
また、ＥＰＧ画面の表示に設定した際に、待機モードと、非待機モードと、切替表示モ
ードとを設定可能にしたので、使用者の所望の動作をさせることができ、テレビ受信装置
の利便性をより向上することができる。
【００４７】
尚、ＥＰＧ画面の表示に設定した際の動作が、待機モード、非待機モード、切替表示モ
ードのいずれか一つのみを有するテレビ受信装置であってもよい。また、待機モード、非
待機モード、切替表示モードのいずれか二つのみを有して、使用者により選択されたモー
ドを実行するテレビ受信装置であってもよい。
【産業上の利用可能性】
【００４８】
本考案によると、ＥＰＧを受信して画面に表示できるテレビ受信装置に利用することが
できる。
【図面の簡単な説明】
【００４９】
【図１】本考案の実施形態のテレビ受信装置の構成を示すブロック図
【図２】本考案の実施形態のテレビ受信装置の電源オン時の動作を示すフローチャート
【図３】本考案の実施形態のテレビ受信装置の電源オン時の表示の設定操作の動作を示すフローチャート
【図４】本考案の実施形態のテレビ受信装置の切替表示モードの動作を示すフローチャート
【図５】本考案の実施形態のテレビ受信装置の設定メニュー画面を示す図
【図６】本考案の実施形態のテレビ受信装置のＥＰＧ画面表示のサブメニュー画面を示す図
【図７】本考案の実施形態のテレビ受信装置のＥＰＧ画面を示す図
【符号の説明】
【００５０】
１    テレビ受信装置
２    制御部
３    ディスプレイ
４    スピーカ
５    操作部
６    分離器
７    デコーダ
８    メモリ
９    チューナ
１０    アンテナ
【図１】
0003111406.tif 000003
【図２】
0003111406.tif 000004
【図３】
0003111406.tif 000005
【図４】
0003111406.tif 000006
【図５】
0003111406.tif 000007
【図６】
0003111406.tif 000008
【図７】
0003111406.tif 000009
【手続補正書】
【提出日】平成17年4月27日(2005.4.27)
【手続補正１】
【補正対象書類名】実用新案登録請求の範囲
【補正対象項目名】全文
【補正方法】変更
【補正の内容】
【実用新案登録請求の範囲】
【請求項１】
画像を出力するディスプレイと、使用者による操作を受け付ける操作部と、前記操作部
の入力に基づいて前記ディスプレイを制御する制御部とを備え、前記ディスプレイにＥＰ
Ｇ画面を表示して番組を選択可能なテレビ受信装置において、前記制御部は、最初に電源
投入した際に初期設定メニューを前記ディスプレイに表示し、初期設定メニューの操作に
よりテレビ受信装置の電源投入時の表示を、テレビ放送画面の表示と、ＥＰＧ画面の表示
と、テレビ放送画面及びＥＰＧ画面の２画面の表示とに設定して前記制御部により表示を
制御できるとともに、
ＥＰＧ画面の表示に設定した際に、ＥＰＧ画面を表示して番組を選択するまで待機して
選択された番組のテレビ放送画面を表示する待機モードと、ＥＰＧ画面を所定時間表示し
た後に前回表示したチャンネルのテレビ放送画面を表示する非待機モードと、ＥＰＧ画面
を所定時間表示した後に各チャンネルのテレビ放送画面を順に切り替えて表示する切替表
示モードとを設定して前記制御部により表示を制御できることを特徴とするテレビ受信装
置。
【請求項２】
画像を出力するディスプレイと、使用者による操作を受け付ける操作部と、前記操作部
の入力に基づいて前記ディスプレイを制御する制御部とを備え、前記ディスプレイにＥＰ
Ｇ画面を表示して番組を選択可能なテレビ受信装置において、使用者の操作に基づいて、
テレビ受信装置の電源投入時の表示を、テレビ放送画面の表示と、ＥＰＧ画面の表示とに
設定して前記制御部により表示を制御できることを特徴とするテレビ受信装置。
【請求項３】
テレビ受信装置の電源投入時の表示を、テレビ放送画面及びＥＰＧ画面の２画面の表示
に設定して前記制御部により表示を制御できることを特徴とする請求項２に記載のテレビ
受信装置。
【請求項４】
電源投入時の表示をＥＰＧ画面の表示に設定した際に、ＥＰＧ画面を表示して番組を選
択するまで待機して選択された番組のテレビ放送画面を表示する待機モードと、ＥＰＧ画
面を所定時間表示した後に前回表示したチャンネルのテレビ放送画面を表示する非待機モ
ードと、ＥＰＧ画面を所定時間表示した後に各チャンネルのテレビ放送画面を順に切り替
えて表示する切替表示モードとを設定して前記制御部により表示を制御できることを特徴
とする請求項２または請求項３に記載のテレビ受信装置。
【請求項５】
電源投入時の表示をＥＰＧ画面の表示に設定した際に、前記制御部によりＥＰＧ画面を
所定時間表示した後に前回表示したチャンネルのテレビ放送画面を表示したことを特徴と
する請求項２または請求項３に記載のテレビ受信装置。
【請求項６】
電源投入時の表示をＥＰＧ画面の表示に設定した際に、前記制御部によりＥＰＧ画面を
所定時間表示した後に各チャンネルのテレビ放送画面を順に表示したことを特徴とする請
求項２または請求項３に記載のテレビ受信装置。
【手続補正２】
【補正対象書類名】明細書
【補正対象項目名】０００７
【補正方法】変更
【補正の内容】
【０００７】
上記目的を達成するために本考案は、画像を出力するディスプレイと、使用者による操
作を受け付ける操作部と、前記操作部の入力に基づいて前記ディスプレイを制御する制御
部とを備え、前記ディスプレイにＥＰＧ画面を表示して番組を選択可能なテレビ受信装置
において、前記制御部は、最初に電源投入した際に初期設定メニューを前記ディスプレイ
に表示し、初期設定メニューの操作によりテレビ受信装置の電源投入時の表示を、テレビ
放送画面の表示と、ＥＰＧ画面の表示と、テレビ放送画面及びＥＰＧ画面の２画面の表示
とに設定して前記制御部により表示を制御できるとともに、
ＥＰＧ画面の表示に設定した際に、ＥＰＧ画面を表示して番組を選択するまで待機して
選択された番組のテレビ放送画面を表示する待機モードと、ＥＰＧ画面を所定時間表示し
た後に前回表示したチャンネルのテレビ放送画面を表示する非待機モードと、ＥＰＧ画面
を所定時間表示した後に各チャンネルのテレビ放送画面を順に切り替えて表示する切替表
示モードとを設定して前記制御部により表示を制御できることを特徴としている。
【手続補正３】
【補正対象書類名】明細書
【補正対象項目名】００１０
【補正方法】変更
【補正の内容】
【００１０】
また本考案は、画像を出力するディスプレイと、使用者による操作を受け付ける操作部
と、前記操作部の入力に基づいて前記ディスプレイを制御する制御部とを備え、前記ディ
スプレイにＥＰＧ画面を表示して番組を選択可能なテレビ受信装置において、使用者の操
作に基づいて、テレビ受信装置の電源投入時の表示を、テレビ放送画面の表示と、ＥＰＧ
画面の表示とに設定して前記制御部により表示を制御できることを特徴としている。
【手続補正４】
【補正対象書類名】明細書
【補正対象項目名】００１２
【補正方法】変更
【補正の内容】
【００１２】
また本考案は、上記構成のテレビ受信装置において、テレビ受信装置の電源投入時の表
示を、テレビ放送画面及びＥＰＧ画面の２画面の表示に設定して前記制御部により表示を
制御できることを特徴としている。この構成によると、設定メニューには、テレビ放送画
面の表示、ＥＰＧ画面の表示に加えて、例えば、２画面の表示の項目が表示される。２画
面の表示が選択されると、次回からの電源投入時にテレビ放送の受信画面とＥＰＧ画面と
が同時に表示される。
【手続補正５】
【補正対象書類名】明細書
【補正対象項目名】００１３
【補正方法】変更
【補正の内容】
【００１３】
また本考案は、上記構成のテレビ受信装置において、電源投入時の表示をＥＰＧ画面の
表示に設定した際に、ＥＰＧ画面を表示して番組を選択するまで待機して選択された番組
のテレビ放送画面を表示する待機モードと、ＥＰＧ画面を所定時間表示した後に前回表示
したチャンネルのテレビ放送画面を表示する非待機モードと、ＥＰＧ画面を所定時間表示
した後に各チャンネルのテレビ放送画面を順に切り替えて表示する切替表示モードとを設
定して前記制御部により表示を制御できることを特徴としている。
【手続補正６】
【補正対象書類名】明細書
【補正対象項目名】００１５
【補正方法】変更
【補正の内容】
【００１５】
また本考案は、上記構成のテレビ受信装置において、電源投入時の表示をＥＰＧ画面の
表示に設定した際に、前記制御部によりＥＰＧ画面を所定時間表示した後に前回表示した
チャンネルのテレビ放送画面を表示したことを特徴としている。
【手続補正７】
【補正対象書類名】明細書
【補正対象項目名】００１６
【補正方法】変更
【補正の内容】
【００１６】
また本考案は、上記構成のテレビ受信装置において、電源投入時の表示をＥＰＧ画面の
表示に設定した際に、前記制御部によりＥＰＧ画面を所定時間表示した後に各チャンネル
のテレビ放送画面を順に表示したことを特徴としている。